(57)【要約】      （修正有）【課題】額縁を壁面に掲示する際に、壁面を傷つけることなく、簡単に掛けることが出来る掛け金具の提供。【解決手段】額縁の掛け金具において、弾力性と復元性を有する金属線条１を角形又は楕円形とした両端部を、額縁掛け金具３の屈曲部３−３にあけられた金属線挿通孔７に通し、掛け金具３の数箇所を溶接部６として固定し、金属線条１の上腕中央に支持紐４及びその支持紐４の先端には額縁の留螺子５を取付け、掛け金具３の下部には別に金属線支持体２を掛け渡して保形して成る壁面の損傷をおさえる特徴を有する額縁の掛け金具である。【選択図】図２
0003111438.tif 000002
【実用新案登録請求の範囲】
【請求項１】
額縁の掛け金具において、弾力性と復元性を有する金属線条１を角形又は楕円形とした両端部を、額縁掛け金具３の屈曲部３−３にあけられた金属線挿通孔７に通し、掛け金具３の数箇所を溶接部６として固定し、金属線条１の上腕中央に支持紐４及びその支持紐４の先端には額縁の留螺子５を取付け、左右の掛け金具３の下部には別に金属線支持体２を掛け渡して固定して成る壁面の損傷をおさえる特徴を有する額縁の掛け金具。
【考案の詳細な説明】
【技術分野】
【０００１】  本考案は、展示場やペンション一般家庭等に絵画、写真等の額縁を壁掛けする際に使用する掛け金具に関する。
【背景技術】
【０００２】  一般に、額縁を壁掛けするに際して螺子や釘又はステップル等によって壁をいたづらに傷つけたり、同一の号数の額を多く飾る場合に、紐の長さを一々調節して額の傾き具合を一定に保つことは実際問題として中々厄介なことで、それらを首尾よく解決できる掛け金具を市場に見る事はない。【０００３】  従来技術としての
【文献１】
実開平７−３４２２には、額等の枠体に装着する補助具が開示されているが、額の背部に支持扞を取り付けて机上などに載置する形のもので、本考案の様に掛け金具に固定された金属線支持体と相まって額縁を壁面に掲げる物ではなく、その文献から本考案を推考させる技術的事項は何ら示されていない。
【０００４】  また、
【文献２】
特開平１０−２９５５１０には、なげし掛け部に額縁をかける額受け金具が記載されているが、本考案のように掛け金具に固定して立ち上げた金属線支持体頂部に取り付けた支持紐を各号数について一定に整えて、額の傾斜角を一定となし、且つ壁面を傷つける事の無いよう配慮考案したことについて教示する記載は何もない。
【考案の開示】
【考案が解決しようとする課題】
【０００５】  解決しようとする問題点は、額縁の掛け金具に基づく壁面への損傷を防ぐこと、及び多数の額縁を壁掛けする際、ともすると傾斜角がばらばらになったり、これを揃える手数が少しばかりでない点を、額縁の号数に対応して支持紐の長さを一定に保って、額の傾斜角を極めて用意に揃えられるようにした掛け金具の製作を課題としている。
【課題を解決するための手段】
【０００６】  本考案は、以下に記載する構成を有する。
額縁の掛け金具において、弾力性と復元性を有する金属線条１を角形又は楕円形とした両端部を、額縁掛け金具３の屈曲部３−３にあけられた金属線挿通孔７に通し、掛け金具３の数箇所を溶接部６として固定し、金属線条１の上腕中央に支持紐４及びその支持紐４の先端には額縁の留螺子５を取付け、左右の掛け金具３の下部には別に金属線支持体２を掛け渡して固定して成る壁面の損傷をおさえる特徴を有する額縁の掛け金具である。
【考案の効果】
【０００７】  本考案に係る額縁の掛け金具３は、和室のなげしに掛けたり、また、コンクリートの洋室やクロス壁の部分にも所定の額縁を掛けるための桟（横板）を備える事により、螺子や釘、ステップル等で壁面に徒に傷をつけることなく掛けることが出来、桟となる横板が厚いときは掛け部３−２を食い込ませれば安定して掛けられる。【０００８】  次に重要な事項は、掛け金具３に屈曲部３−３を設けたことにより、受け部３−１の後面が額縁Ｇの裏側とフラットな面で当接でき、他方、掛け部３−２も同様に金属線支持体１が障害になることはなく、なげしＮや横板に平面で当接できる特徴を持つものである。【０００９】  その他、金属線支持体１の上部に取り付けられた支持紐４は、額縁を飾る高さ及び号数に応じて適合する長さにセットされているから、同一の額縁は均一な傾斜角を持って掛けることが可能で、展示会等で大量に掛ける場合などには極めて簡便に掲示することが出来る等、掛け金具３と金属線支持体１の枠組みはしっかりと固定され、荷重の分配もバランスがとれ、額縁Ｇを掛けた場合も安定している等、多くの作用効果を奏するものである。
【考案を実施するための最良の形態】
【００１０】  更に、各部分の実施の形態を説明すると、金属線支持体１の材質は経費の関係上現実的には鋼鉄線が、弾力性、復元性及び強度に優れていて好ましく、太さは額縁の大きさと重量により設定される。該支持体１の長手方向の形は、角形でも額縁Ｇを横にかける場合などには半楕円形にも作成できる。金属線支持体１の断面形状は円形のパイプでもソリッドでも使用でき、額縁Ｇの重量に依ってはステンレスの断面矩形状のパイプを正面から見て縦長に使用して強度を持たせることも本考案の技術的事項に入る。【００１１】  金属線支持体２は枠体下部の安定を図るために、左右の掛け金具３に溶接固定される。支持紐４は、錆にくいステンレスチエンが好ましいが、美観を損なわない飾り紐でもよく、特に限定しない。支持紐４の先端には、回動自在なリングと留螺子５を一体化しておく。【００１２】  金属線支持体１の両末端に取り付けられる掛け金具３は一片からなり、下部に飾りの付いた受け部３−１、なげしＮその他桟に掛ける掛け部３−２、ならびに屈曲部３−３を備え、受け部３−１に額縁Ｇを、掛け部３−２はなげしＮ又は桟に掛けるものである。屈曲部３−３の中央には、金属線支持体１を上から通す金属線挿通孔７を設け、該金属線支持体１下部を適宜の箇所で溶接部６として掛け金具３を固定する。金属線支持体２は前記したように両サイドの掛け金具３を連結固定する。【００１３】  ここにおいて重要な事は、前記したが、掛け金具３に屈曲部３−３を設けて金属線挿通孔７を通して金属線支持体１を固定したことにより、受け部３−１の後面が額縁Ｇの裏側と平面で当接でき、他方掛け部３−２も同様に金属線支持体１に邪魔される事無く、なげしＮや横板に平面で当接できる特徴を持つものである。
【実施例１】
【００１４】  次に、図面との対比において実施例を述べれば、図１は本考案に係る額縁Ｇの掛け金具の正面図で、図２はその側面図である。両図においての符号は同様とする。１、２は金属線支持体、３は掛け金具で三の部分からなり、額縁Ｇの受け部３−１、なげしＮ等の桟に掛ける掛け部３−２、金属線支持体１の挿通孔７をあけた屈曲部３−３から成る。４は支持紐、５は額縁Ｇの上部にねじ込む螺子で金属線支持体１の上部には、支持紐４が左右にずれないよう窪みを設けて支持紐留部８とした。掛け金具３は、額縁Ｇの号数に釣合いがとれる幅に作成され、３−１の受け部は、適宜の装飾をもたせるが本考案には七宝焼きの装飾を施した。【００１５】  支持紐４の長さは額縁Ｇの傾斜角を決めるが、本考案においては通常鉛直な壁面に対して１０°から３０°程度の実施の形態をとるが状況により適宜変更できる。金属線支持体１の材質は強度の点でライトベージュに塗装した鋼鉄線を周囲の環境に合わせて使用した。６は溶接部でスポット溶接して固定した。額縁Ｇは受け部３−１及び掛け部３−２ならびに支持紐４の釣合いにより掛け金具３として極めて安定した品質であるといえる。
【産業上の利用可能性】
【００１６】  本考案に係る額縁掛け金具は、製作も簡単で号数に応じ、また、掲示する環境に適合するように製作でき、従来のように釘やステップルで壁面を傷つけること無く、鉄筋コンクリートの壁の場合なども横板を一枚取り付けた桟とすれば済むことで、掛け部をセットするだけで容易に、しかも、美的に掛けられるなどの利点を有するから、市場性も高いと思惟される。
【図面の簡単な説明】
【００１７】
【図１】本考案に係る掛け金具の正面図
【図２】本考案に係る掛け金具の側面図
【符号の説明】
【００１８】  １、２  金属線支持体
３      掛け金具
３−１  受け部
３−２  掛け部
３−３  屈曲部
４      支持紐
５      留螺子
６      溶接部
７      金属線挿通孔
８      支持紐留部
Ｇ      額縁
Ｎ      なげし
【図１】
0003111438.tif 000003
【図２】
0003111438.tif 000004